(57)【要約】 【課題】公知の把手に改良を加え、輪ゴムを、常に、書面ホルダーと常時一体に設けることにより、不使用時は、書面ホルダー内に一体に保管出来るようにし、邪魔にならず、また、劣化も少なく、しかも、見た目に体裁もよく、また、使用時には、輪ゴムを書面ホルダーに巻回することによって、蓋部が開かない安全な書面ホルダーを開発する。【解決手段】書面ホルダー（Ｘ）の上面の中央部に、挿入穴（Ｙ）（Ｙ）を穿設し、これら挿入穴（Ｙ）（Ｙ）に差し込み、内側で掛止状とする把手において、把手本体（１）の両端部に設けたＴ字状の支持板（２ａ）（２ｂ）に、２本のスリット（３ａ）（３ｂ）を長手方向にそれぞれ設けると共に、これら両スリットの間に、突起部（４）を形成し、これら両スリットの根元にそれぞれ係止穴（５）（５）を設け、輪ゴム（Ｚ）をそれぞれの係止穴（５）（５）に挿入し、係止することを特徴とする書面ホルダーにおける把手。【選択図】      図５
0003138757.tif 000002
【実用新案登録請求の範囲】
【請求項１】
書面ホルダー（Ｘ）の上面の中央部に、挿入穴（Ｙ）（Ｙ）を穿設し、これら挿入穴（Ｙ）（Ｙ）に差し込み、内側で掛止状とする把手において、把手本体（１）の両端部に設けたＴ字状の支持板（２ａ）（２ｂ）に、２本のスリット（３ａ）（３ｂ）を長手方向にそれぞれ設けると共に、これら両スリットの間に、突起部（４）を形成し、これら両スリットの根元にそれぞれ係止穴（５）（５）を設け、これら係止穴（５）（５）には、輪ゴム（Ｚ）を、突起部（４）を跨いでそれぞれの係止穴（５）（５）に挿入し、係止することを特徴とする書面ホルダーにおける把手。
【考案の詳細な説明】
【技術分野】
【０００１】
この考案は、書面ホルダーにおける把手に関する。
【背景技術】
【０００２】
従来、書面ホルダーは、教室において児童各自の名前を書いたものを、各自の書面ホルダー保管箱に入れて保管しており、児童が絵画や版画などの大きな作品を制作した時や、大判プリントなどを教師が返却する時に、教師は名前の書いてある各児童の書面ホルダーに、直接入れておくことにより、紛失を防いだり、参観日などの貴重な時間に、作品配布などの雑時間をさく必要がなくなり、時間の有効活用に効果があるものである。
【０００３】
書面ホルダーごとに父母が持ち帰ることにより、教師は確実に意思伝達が出来る。このように書面ホルダーは、教師のクラス管理を平易確実にする目的があり、そのため、保管時の利便性も求められている。
【０００４】
そして、書面ホルダーは薄い箱型であり、内部に上記の書類や作品等を入れ、持ち歩いたり，保管するものである。この書面ホルダーの構成は、本体と一体に蓋部が形成されており、蓋部の一部に設けた舌辺を本体側に設けたスリットに差し込んだり、あるいは、本体と蓋部とを面テープで加圧接着して止めたりして、内部の書類等が飛び出さないように止め具を有する構成となっている。
【０００５】
しかし、このような書面ホルダー本体と蓋部とは、このような止め具では、持ち歩く際に弱く、蓋部が開いてしまい、そのため、書面ホルダーに大型輪ゴム（以下、単に輪ゴムという）を掛けて固定しているのが実状である。
【０００６】
そのため、輪ゴムは、書面ホルダーとは、別個に添付されて販売されており、この書面ホルダーを児童が中身を入れて持ち運ぶ際に、児童が自分で輪ゴムを書面ホルダーに掛けて使用することにより、持ち運びの際に蓋部が開口することを防いでいた。
【０００７】
しかしながら、体の小さな小学校低学年の児童に、書面ホルダーを持ち帰る際のゴム掛け作業を強いることは、かなり困難なことであった。さらに、教室での保管箱への出し入れの際に、輪ゴムが外に出ていると引っ掛かり、出し入れが円滑に行えないし、また、別個に添付されている場合には、輪ゴムを使用する際まで保管しておくことは管理上、問題があった。
【０００８】
そこで、本考案者は、書面ホルダーに設けられている把手に着目し、該把手に工夫・改良することにより、輪ゴムを該把手に着脱可能に設けて、常時、書面ホルダーと輪ゴムとを一体に保管することを思いついた。尚、把手は、既に公知である。例えば、特許文献１のように。
【特許文献１】実公昭４５−２１２４１号公報
【考案の開示】
【考案が解決しようとする課題】
【０００９】
そこで、解決しようとする問題点は、公知の把手に改良を加え、輪ゴムを、常に、書面ホルダーと常時一体に設けることにより、不使用時は、書面ホルダー内に一体に保管するようにし、邪魔にならず、また、劣化も少なく、しかも、見た目に体裁もよく、また、使用時には、輪ゴムを把手から引き出し、書面ホルダーに巻回することによって、蓋部が開かない安全な書面ホルダーにおける把手を開発・提供することにある。
【課題を解決するための手段】
【００１０】
この考案は、書面ホルダーの上面の中央部に、挿入穴を穿設し、これら挿入穴に差し込み、内側で掛止状とする把手において、把手本体の両端部に設けたＴ字状の支持板に、２本のスリットを長手方向にそれぞれ設けると共に、これら両スリットの間に、突起部を形成し、これら両スリットの先端にそれぞれ係止穴を設け、これら係止穴には、輪ゴムを、突起部を跨いでそれぞれの係止穴に挿入し、係止する書面ホルダーにおける把手である。
【考案の効果】
【００１１】
この考案によると、書面ホルダー（Ｘ）の把手本体（１）の支持板（２）に２本のスリット（３ａ）（３ｂ）を形成し、両スリット（３ａ）（３ｂ）の間には、突起部（４）を形成し、これらスリットの先端にそれぞれゴム係止穴（５）（５）を形成し、輪ゴム（Ｚ）は、これら係止穴（５）（５）に挿入する際、突起部（４）を跨いで設けており、書面ホルダー（Ｘ）を輪ゴム（Ｚ）で固定する際、輪ゴム（Ｚ）は、突起部（４）を跨いでおり把手本体（１）の支持板（２）より突出していることにより、書面ホルダー（Ｘ）の挿入穴（Ｙ）から摘んで引き出しやすく、この輪ゴム（Ｚ）を書面ホルダー（Ｘ）に巻回して装着することにより、蓋部の開きを防止できる等の効果を奏する。
【００１２】
さらに、輪ゴム（Ｚ）は、書面ホルダー（Ｘ）に装着された把手本体（１）の支持板（２）の係止穴（５）（５）に係止されており、常時、書面ホルダー（Ｘ）と一体に保管でき、また、不要な際には、輪ゴム（Ｚ）を書面ホルダー内に引っ張ることにより、書面ホルダー（Ｘ）内に隠れる。そして、この輪ゴム（Ｚ）を装着した支持板（２）は、常に書面ホルダー（Ｘ）の内部に位置しているため、輪ゴム（Ｚ）は、邪魔にもならず、劣化も少なく、しかも、見た目に体裁がよい等極めて有益なる効果を奏する。
【考案を実施するための最良の形態】
【００１３】
書面ホルダー（Ｘ）に使用する把手本体において、公知の把手の一部を改良することにより、常時、輪ゴム（Ｚ）を、使用時、不使用時を問わず、一体に保持でき、従来の把手としての機能もそのまま維持できる書面ホルダーにおける把手である。
【実施例】
【００１４】
この考案の一実施例を図面に従って詳述すると、書面ホルダー（Ｘ）の上面の中央部に、挿入穴（Ｙ）（Ｙ）を穿設し、これら挿入穴（Ｙ）（Ｙ）に差し込み、内側で掛止状とする把手において、把手本体（１）の両端部に設けたＴ字状の支持板（２ａ）（２ｂ）に、２本のスリット（３ａ）（３ｂ）を長手方向にそれぞれ設けると共に、これら両スリットの間に、突起部（４）を形成し、これら両スリットの根元にそれぞれ係止穴（５）（５）を設け、これら係止穴（５）（５）には、輪ゴム（Ｚ）を、突起部（４）を跨いでそれぞれの係止穴（５）（５）に挿入し、係止することを特徴とする書面ホルダーにおける把手から構成されるものである。
【００１５】
尚、把手本体（１）は、公知のものであり、適宜な弾力性を有する合成樹脂製の厚肉把手杆（１ａ）の両端部に形成した薄肉部（１ｂ）（１ｂ）の端部に厚肉単板からなる支持板（２ａ）（２ｂ）をＴ字状に一体練成し、書面ホルダー（Ｘ）の上面（Ｘａ）の適所に設けた挿入穴（Ｙ）（Ｙ）に支持板（２ａ）（２ｂ）を挿入し、書面ホルダー（Ｘ）の内側で、それぞれ  支持板（２ａ）（２ｂ）を水平にして書面ホルダー（Ｘ）と係止するものである。
【００１６】
この考案の使用法を説明すると、書面ホルダー（Ｘ）に輪ゴム（Ｚ）を掛け蓋部を固定する場合には、書面ホルダー（Ｘ）の把手（１）を持ち上げると、書面ホルダー（Ｘ）の内部に隠れていた突起部（４）に跨がった輪ゴム（Ｚ）が、挿入穴（Ｙ）から出てくる。一方の手で書面ホルダー（Ｘ）を保持し、他方の手で輪ゴム（Ｚ）をつまんで引っ張り、輪ゴム（Ｚ）を書面ホルダー（Ｘ）の外面から底部まで伸ばし、その手を離せば、輪ゴム（Ｚ）は縮み、書面ホルダー（Ｘ）は輪ゴム（Ｚ）で巻回されるものである。
【００１７】
尚、突起部（４）は、支持板（２ａ）の裏面にも突起部（４′）として設けてもよい。また、輪ゴム（Ｚ）が不要な時は、書面ホルダー（Ｘ）に掛けた輪ゴム（Ｚ）を外し、書面ホルダー（Ｘ）の蓋部を開き、把手本体（１）の端部に設けた支持板（２ａ）に装着した輪ゴム（Ｚ）の突起部（４′）に跨がった端を手前に引っ張れば、輪ゴム（Ｚ）は書面ホルダー（Ｘ）の内部に平易に収納することができる。また、内部に引き込まれた輪ゴム（Ｚ）は、図７に示すように、他方の支持板に係止してもよく、書面ホルダー保管箱（Ａ）に入れた場合も、輪ゴム（Ｚ）は書面ホルダー（Ｘ）の内部に位置するため邪魔にならない。
【産業上の利用可能性】
【００１８】
この考案の書面ホルダーにおける把手の技術を確立し、かつ、この把手を実施・販売することにより産業上の利用可能性がある。
【図面の簡単な説明】
【００１９】
【図１】この考案の一実施例を示す把手の底面図である。
【図２】この考案の一実施例を示す把手の正面図である。
【図３】この考案の一実施例を示す把手の平面図である。
【図４】この考案の一実施例を示す把手の右側面図である。
【図５】この考案に使用する把手の使用状態を示し、不要時の状態を示す一部拡大断面図である。
【図６】この考案に使用する把手の使用状態を示し、不要時の状態を示す一部拡大平面図である。
【図７】この考案に使用する把手の使用状態を示し、不要時の状態を示す一部拡大断面図である。
【図８】この考案の書面ホルダーの使用状態を示す一部拡大断面図である。
【図９】この考案の書面ホルダーの使用状態を示す正面図である。
【図１０】この考案の書面ホルダーの不使用状態を示す正面図である。
【図１１】この考案の書面ホルダーの保管時の平面図である。
【符号の説明】
【００２０】
１  把手本体
１ｂ  薄肉部
２ａ，２ｂ  支持板
３ａ，３ｂ  スリット
４  突起部
５，５  輪ゴム係止穴
Ａ  書面ホルダー保管箱
Ｘ  書面ホルダー
Ｘａ  上面
Ｙ  挿入穴
Ｚ  輪ゴム
【図１】
0003138757.tif 000003
【図２】
0003138757.tif 000004
【図３】
0003138757.tif 000005
【図４】
0003138757.tif 000006
【図５】
0003138757.tif 000007
【図６】
0003138757.tif 000008
【図７】
0003138757.tif 000009
【図８】
0003138757.tif 000010
【図９】
0003138757.tif 000011
【図１０】
0003138757.tif 000012
【図１１】
0003138757.tif 000013